(57)【要約】    【課題】持ち運びに便利なベルトを備え、しかも、当該ベルトをコンパクトに収納することができるレジャー用バッグの提供。    【解決手段】この釣用バッグ１０は、バッグ本体１１と、ベルト１２と、巻取リール１３とを備える。ベルト１２は、二分割されている。一方のベルト３１は、バッグ本体１１の一方側に挿通固定されている。他方のベルト３２は、バッグ本体１１の他方側に挿通され、巻取リール１３に連結されている。巻取リール１３は、バッグ本体１１の底部に配置されており、ベルト１２を常時一定の巻取力で巻き取っている。一方のベルト３１と他方のベルト３２は、それぞれ係合ソケット３５及び係合プラグ３８を有し、これらは着脱自在に連結される。【選択図】図１
2006043233.tif 000002
【特許請求の範囲】
【請求項１】
バッグ本体と、
バッグ本体に設けられた持運用ベルトと、
バッグ本体の内部に設けられ、持運用ベルトの端部が連結されると共に当該持運用ベルトを長手方向に沿って巻き取る巻取リールとを備えたレジャー用バッグ。
【請求項２】
上記バッグ本体は、アウターケース及びインナーケースを備えており、
上記巻取リールは、アウターケースの内底部とインナーケースの外底部との間に配置されている請求項１に記載のレジャー用バッグ。
【請求項３】
上記持運用ベルトは、二分割されており、
一方の持運用ベルトの一端が上記バッグ本体の内部に固定され、他方の持運用ベルトの一端が上記巻取リールに連結されており、
一方の持運用ベルトの他端と他方の持運用ベルトの他端とが着脱自在に連結されている請求項１又は２に記載のレジャー用バッグ。
【請求項４】
上記他方の持運用ベルトは、上記バッグ本体に設けられたスリットを介して上記バッグ本体の内部から外部へ挿通されており、
上記他方の持運用ベルトの他端に上記一方の持運用ベルトの他端と係合する係合部材が設けられている請求項３に記載のレジャー用バッグ。
【発明の詳細な説明】
【技術分野】
【０００１】
本発明は、レジャーの用に供されるバッグの構造に関するものである。
【背景技術】
【０００２】
レジャーでは、そのレジャーに用いられる用具等を収納するレジャー用バッグが一般に使用されている。例えば、釣りにおいては、釣道具をまとめて収納するタックルケースや、釣餌を収容するバッカンと称されるバッグが使用される。これらレジャー用バッグは、使用者が持ち運びに便利なように、一般にベルト（手提げベルト、肩掛けベルト等）を備えている（例えば、特許文献１及び非特許文献１参照）。釣人は、このベルトを手に掛け、あるいは肩に掛けることによって、バッグを容易に持ち運びすることができる。
【０００３】
【特許文献１】特開２００１−２８６２５２公報
【非特許文献１】株式会社シマノ 2004 Fishing Tackle Catalogue（第１９７頁、第１９９頁、２０１頁、２０２頁）
【発明の開示】
【発明が解決しようとする課題】
【０００４】
ベルトが特に肩掛け用として構成されている場合は、ベルトは相当長いものとなる。また、ベルトは、通常その両端部がバッグ本体に連結されている。したがって、釣人がバッグを持ち運びしないときは、ベルトがバッグ本体の周りに雑然と配置されることになる。なお、従来のベルトには、その長さを調整する機構を備えているものもあるが、この機構は、ベルトの長さを釣人の体格に適合させるためのものであるから、ベルトをコンパクトに収納するものではない。このため、釣人がバッグを持ち運びしないときは、ベルトがバッグ本体の周りに雑然と配置されることに変わりはない。
【０００５】
また、従来のバッグには、ベルトがバッグ本体に着脱可能に設けられているものもある。しかし、バッグ本体からベルトが取り外された場合、釣人は、ベルトの保管場所に困るという問題もあった。
【０００６】
そこで、本発明の目的は、持ち運びに便利なベルトを備え、しかも、ベルトが使用されない場合には、当該ベルトをコンパクトに収納することができるレジャー用バッグを提供することである。
【課題を解決するための手段】
【０００７】
上記目的が達成されるため、本発明に係るレジャー用バッグは、バッグ本体と、バッグ本体に設けられた持運用ベルトと、バッグ本体の内部に設けられ、持運用ベルトの端部が連結されると共に当該持運用ベルトを長手方向に沿って巻き取る巻取リールとを備えたことを特徴とするものである。
【０００８】
この発明では、釣人等のレジャーを楽しむ者は、バッグ本体に当該レジャーに必要な道具を収納することができる。バッグ本体には持運用ベルトが設けられているので、レジャーを楽しむ者は、この持運用ベルトを把持することによって、あるいは持運用ベルトを肩に掛けることによって、簡単にレジャー用バッグを持ち運びすることができる。バッグ本体の内部に巻取リールが設けられているから、持運用ベルトが不要なとき、例えばこのレジャー用バッグが釣用バッグとして使用される場合であって、釣人がレジャー用バッグを自己の所望する釣り場に載置したときには、持運用ベルトが巻取リールに巻き取られる。これにより、持運用ベルトは、バッグ本体内にコンパクトに収容される。
【０００９】
上記バッグ本体は、アウターケース及びインナーケースを備え、上記巻取リールは、アウターケースの内底部とインナーケースの外底部との間に配置されているのが好ましい。この構成では、巻取リールがアウターケースとインナーケースとの間に形成される空間に配置されるから、例えば釣り場等において、巻取リールが岩等に接触することにより損傷を受けてしまうことが回避される。
【００１０】
上記持運用ベルトは、二分割されているのが好ましい。この場合、一方の持運用ベルトの一端が上記バッグ本体の内部に固定され、他方の持運用ベルトの一端が上記巻取リールに連結されており、一方の持運用ベルトの他端と他方の持運用ベルトの他端とが着脱自在に連結されているのが好ましい。この構成では、持運用ベルトが不要なときは、持運用ベルトが分割される。そして、巻取リールによって他方の持運用ベルトが巻き取られることによって、持運用ベルトは、よりコンパクトに収容される。
【００１１】
上記他方の持運用ベルトは、上記バッグ本体に設けられたスリットを介して上記バッグ本体の内部から外部へ挿通されており、上記他方の持運用ベルトの他端に上記一方の持運用ベルトの他端と係合する係合部材が設けられているのが好ましい。この構成では、持運用ベルトが分割され、巻取リールによって他方の持運用ベルトが巻き取られると、係合部材はスリットを挿通することができないことから、上記係合部材がバッグ本体に当接する。これにより、持運用ベルトがきわめてコンパクトに収容されると共に、上記係合部材が引っ張られることによって、上記他方の持運用ベルトは簡単にバッグ本体から引き出される。
【発明の効果】
【００１２】
本発明によれば、持運用ベルトが不要なときは、持運用ベルトがバッグ本体内にコンパクトに収容される。したがって、従来のように、持運用ベルトがバッグ本体の周りに雑然と配置されることはなく、持運用ベルトの汚れや損傷が防止される。
【発明を実施するための最良の形態】
【００１３】
以下、適宜図面が参照されつつ、好ましい実施形態に基づいて本発明が詳細に説明される。
【００１４】
図１は、本発明の一実施形態に係る釣用バッグの斜視図である。また、図２は、本発明の一実施形態に係る釣用バッグの断面図である。なお、本発明は、釣用バッグにのみ適用されるものではなく、レジャー用バッグ一般に適用されるものであることは勿論である。
【００１５】
釣用バッグ１０は、バッグ本体１１と、ベルト１２（持運用ベルト）と、巻取リール１３とを備えている。本実施形態に係る釣用バッグ１０の特徴とするところは、巻取リール１３によってベルト１２が巻き取られるようになっている点であり、これにより、ベルト１２が不要なときは、ベルト１２がバッグ本体１１内にコンパクトに収容されるようになっている。
【００１６】
図２が示すように、バッグ本体１１は、内部に収容室１４が区画された容器状に形成されている。収容室１４には、釣りに必要なさまざまな道具が収納される。バッグ本体１１は二重壁構造を有し、アウターケース１５とインナーケース１６とを備えている。アウターケース１５は、例えば樹脂により構成され、容器状に形成されている。インナーケース１６も例えば樹脂により構成され、容器状に形成されている。インナーケース１６は、アウターケース１５の内部に嵌め込まれており、インナーケース１６の内部空間が上記収容室１４を構成している。
【００１７】
本実施形態では、インナーケース１６の上縁外周部１７は、他の部分に比べて肉厚寸法が大きく設定されており、この上縁外周部１７がアウターケース１７の上縁内周部に固定されている。したがって、アウターケース１５とインナーケース１６との間には、空間１８が形成されており、この空間１８に上記巻取リール１３及びベルト１２が収容されている。
【００１８】
本実施形態では、アウターケース１５に一対の扉１９、２０が設けられている。これら扉１９、２０は、図１が示すようにヒンジ２１を介してインナーケース１６の上縁外周部１７に連結されている。扉１９、２０は、いわゆる観音開き式に連結されているが、単一の扉がアウターケース１５に設けられていてもよい。図２が示すように、扉１９、２０は、中空構造である。扉１９、２０の内部には図示されていない断熱材が配置されている。もっとも、扉１９、２０が中空構造でなくてもよいことは勿論である。
【００１９】
インナーケース１６の上縁外周部１７及び扉１９、２０にスリット２２が設けられている。このスリット２２は、同図が示すように、上記上縁外周部１７及び扉１９、２０を上下方向に貫通している。このスリット２２は、ベルト１２が挿通するために必要且つ十分な大きさを有する。具体的には、スリット２２の幅寸法は、ベルト１２の厚み寸法に対応して１ｍｍ〜５ｍｍ程度に設定され、スリット２２の長さ寸法は、ベルト１２の幅寸法に対応して５ｍｍ〜５０ｍｍ程度に設定される。
【００２０】
アウターケース１５とインナーケース１６との間の上記空間１８には、ローラー２３が取り付けられている。このローラー２３は、支持軸２４によって回転自在に支持されている。この支持軸２４は、アウターケース１５の内壁面に固定されている。上記ベルト１２は、このローラー２３に掛け回されるようになっている。
【００２１】
巻取リール１３は、前述のように上記空間１８内に配置されている。具体的には、アウターケース１５の内底部２８と、インナーケース１６の外底部２９との間に配置されている。なお、巻取リール１３は、上記空間１８内であれば、他の位置に配置されていてもよい。巻取リール１３は、リール本体２５と、リール支持軸２６と、渦巻きバネ２７とを備えている。リール本体２５は、ボビン状に形成されており、上記ベルト１２を巻き取ることができる。リール支持軸２６は、リール本体２５の中心に固定されており、リール本体２５は、リール支持軸２６と共に回転する。このリール支持軸２６は、その両端部がアウターケース１５の内底部２８とインナーケース１６の外底部２９とによって回転自在に支持されている。
【００２２】
渦巻きバネ２７は、上記リール支持軸２６に一端が固定されると共に、他端がインナーケース１６側に固定されている。本実施形態では、インナーケース１６の底部に渦巻きバネ２７を収容するバネ収容ケース３０が固定されている。そして、渦巻きバネ２７の他端は、このバネ収容ケース３０の内壁面に固定されている。渦巻きバネ２７は、リール支持軸２６を所定方向に回動付勢している。このため、リール本体２５に巻き付けられたベルト１２は、常時一定の弾性力によって、長手方向に沿ってリール本体２５に巻き取られるようになっている。
【００２３】
ベルト１２は、予め二分割されている。すなわち、ベルト１２は、図２において左側に配置された一方のベルト３１と、右側に配置された他方のベルト３２とを備えている。一方のベルト３１の一端３３は、インナーケース１６の側壁３４に固定されている。この一方のベルト３１は、上記スリット２２を挿通して上記空間１８からバッグ本体１１の外部へ出ている。また、図１が示すように、一方のベルト３１の他端には、係合ソケット３５が固定されている。
【００２４】
図２が示すように、他方のベルト３２の一端は、上記巻取リール１３のリール本体２５に固定されている。他方のベルト３２は、上記渦巻きバネ２７によって予め所定長さだけリール本体２５に巻き取られている。この他方のベルト３２は、リール本体２５から引き出された後、角度が略９０°だけ捩られた状態で上記ローラー２３に巻き掛けられている。すなわち、他方のベルト３２は、アウターケース１５の内底部２８とインナーケース１６の外底部２９との間を図２中右方向に沿って延び、上記ローラー２３によって上方へ案内されている。
【００２５】
さらに、この他方のベルト３２は、スリット２２を挿通して上記空間１８からバッグ本体１１の外部へ出ている。また、図１が示すように、他方のベルト３２の他端には、係合プラグ３８（係合部材）が固定されている。この係合プラグ３８は、上記係合ソケット３５に嵌め込まれることによって、係合ソケット３５に固定される。なお、この係合ソケット３５及び係合プラグ３８の係合構造は既知であり、ワンタッチで係合が解除されるようになっている。
【００２６】
釣人は、この釣用バッグ１０を次のように使用する。釣人は、バッグ本体１１に種々の釣道具、餌等の釣りに必要なものを収納することができる。バッグ本体１１にはベルト１２が設けられているので、釣人は、このベルト１２を把持することによって、あるいは肩に掛けることによって、簡単に釣用バッグ１０を持ち運びすることができる。このベルト１２は、バッグ本体１１の内部に設けられた巻取リール１３により、一定の巻取力（弾性力）で常時巻き取られているから、ベルト１２が不要なときは、当該ベルト１２は、巻取リール１３に巻き取られ、バッグ本体１１内にコンパクトに収容される。したがって、例えば釣人が釣用バッグ１０を釣り場に載置した場合に、従来では、ベルト１２がバッグ本体１１の周りに雑然と配置されていたが、この釣用バッグ１０では、ベルト１２がコンパクトに収容されるので、ベルト１２の汚れや損傷が防止される。
【００２７】
本実施形態に係る釣用バッグ１０では、巻取リール１３がアウターケース１５とインナーケース１６との間に形成される空間１８に配置されるから、巻取リール１３は、外傷から保護される。具体的には、例えば釣り場等において、巻取リール１３が岩等に接触することにより損傷を受けてしまうことが回避される。
【００２８】
また、ベルト１２が不要なときは、当該ベルト１２が二分割される。これにより、図２が示すように、他方のベルト３２が巻取リール１３によって巻き取られる。つまり、他方のベルト３２が巻き取られることによって、ベルト１２が扉１９、２０の上方に配置されることはない。したがって、ベルト１２はよりコンパクトに収容されると共に、釣人は、扉１９、２０を開閉する際にベルト１２が邪魔になることはない。
【００２９】
さらに、他方のベルト３２は、上記スリット２２を介して上記バッグ本体１１の内部へ収容される。そして、他方のベルト３２には係合プラグ３８が設けられており、この係合プラグ３８は、スリット２２を通過することはできない。したがって、他方のベルト３２が巻き取られると、係合プラグ３８がバッグ本体１１（具体的には上記扉１９）に当接する。これにより、ベルト１２がきわめてコンパクトに収容されると共に、釣人が係合プラグ３８を引っ張るだけで、他方のベルト３２は簡単にバッグ本体１１から引き出される。
【産業上の利用可能性】
【００３０】
本発明は、釣り等のレジャーに使用されるレジャー用バッグに適用され得る。
【図面の簡単な説明】
【００３１】
【図１】図１は、本発明の一実施形態に係る釣用バッグの斜視図である。
【図２】図２は、本発明の一実施形態に係る釣用バッグの断面図である。
【符号の説明】
【００３２】
１０・・・釣用バッグ
１１・・・バッグ本体
１２・・・ベルト
１３・・・巻取リール
１５・・・アウターケース
１６・・・インナーケース
１７・・・上縁外周部
１８・・・空間
２２・・・スリット
２３・・・ローラー
２４・・・支持軸
２５・・・リール本体
２６・・・リール支持軸
２７・・・渦巻きバネ
２８・・・アウターケースの内底部
２９・・・インナーケースの外底部
３０・・・バネ収容ケース
３１・・・一方のベルト
３２・・・他方のベルト
３３・・・一方のベルトの端部
３４・・・側壁
３５・・・係合ソケット
３７・・・他方のベルトの一端
３８・・・係合プラグ
【図１】
2006043233.tif 000003
【図２】
2006043233.tif 000004